【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
５、１３、１４、２２〜２５、３１、３２、４０〜４２、４４、４５、４９〜５２、７２〜７５、７７、７８、８２、８３、及び９２からなる群から選択された原子番号を有する元素のオキシアニオンを、一種類以上の前記オキシアニオンを含有する水性供給物から除去する方法であって、一種類以上の希土類化合物を含む収着剤と前記水性供給物とを接触させ、前記供給物から一種類以上の前記オキシアニオンを除去し、それにより前記オキシアニオンの濃度が前記供給物に比較して減少した水性流体を生成させることを含み、然も、前記希土類化合物（一種又は複数種）が、２０ミリ当量／１００ｇより大きな前記希土類化合物（一種又は複数種）に対する陽イオン交換容量を有する粒状固体上には支持されていない、オキシアニオン除去方法。
【請求項２】
収着剤が、ランタン化合物及びセリウム化合物の１種以上を含む、請求項１に記載の方法。
【請求項３】
前記供給物が、ビスマス、バナジウム、クロム、マンガン、モリブデン、アンチモン、タングステン、鉛、ハフニウム、及びウランからなる群から選択された元素の一種類以上のオキシアニオンを含有し、前記希土類化合物中の希土類が、セリウム、ランタン、プラセオジム、ネオジム、サマリウム、ユウロピウム、ガドリニウム、テルビウム、ジスプロシウム、ホルミウム、エルビウム、ツリウム、イッテルビウム、ルテチウム、イットリウム、及びスカンジウム、並びにそれらの混合物からなる群から選択され、そして、前記希土類化合物が、水不溶性の希土類酸化物、水和希土類酸化物、希土類炭酸塩、希土類燐酸塩、希土類塩化物、希土類硝酸塩、希土類アンモニウム硝酸塩、希土類硫酸塩、又は希土類フッ化物である、請求項１に記載の方法。
【請求項４】
収着剤が希土類化合物の混合物を含み、この希土類化合物の混合物が、酸化ランタン、酸化プラセオジム、又は酸化セリウムを含む、請求項３に記載の方法。
【請求項５】
収着剤が、２０ミリ当量／１００ｇより小さな陽イオン交換容量を有する粒状固体上に支持された一種類以上の希土類化合物を含み、この粒状固体が、アルミナ、珪藻土、多孔質重合体材料、耐火性酸化物、及び耐火性非酸化物からなる群から選択される、請求項１に記載の方法。
【請求項６】
粒状固体が、陽イオン交換容量を本質的にもたない、請求項５に記載の方法。
【請求項７】
ビスマス、マンガン、モリブデン、アンチモン、鉛、ウラン、及びハフニウムからなる群から選択された元素のオキシアニオンを、一種類以上の前記オキシアニオンを含む水性供給物から除去する方法であって、一種類以上の希土類化合物を含む収着剤と前記水性供給物とを接触させ、前記供給物から一種類以上の前記オキシアニオンを除去し、それにより前記オキシアニオンの濃度が前記供給物と比較して減少した水性流体を生成させることを含む、オキシアニオン除去方法。
【請求項８】
水性供給物が、モリブデン、ウラン、及びアンチモンからなる群から選択された元素の一種類以上のオキシアニオンを含み、収着剤が二酸化セリウム又は酸化ランタンを含む、請求項７に記載の方法。
【請求項９】
５、１３、１４、２２〜２５、３１、３２、４０〜４２、４４、４５、４９〜５２、７２〜７５、７７、７８、８２、８３、及び９２からなる群から選択された原子番号を有する元素のオキシアニオンを、一種類以上の前記オキシアニオンを含有する水性供給物から除去する方法であって、一種類以上の可溶性希土類化合物の水溶液と前記水性供給物とを接触させ、前記供給物から一種類以上の前記オキシアニオンを沈澱させ、それにより前記オキシアニオンの濃度が前記供給物と比較して減少した水性流体を生成させることを含む、オキシアニオン除去方法。
【請求項１０】
水性溶液が、希土類塩化物、希土類硝酸塩、希土類アンモニウム硝酸塩、及び希土類硫酸塩からなる群から選択された一種類以上の希土類化合物を含み、前記希土類化合物（一種又は複数種）が、セリウム化合物及びランタン化合物からなる群から選択され、前記供給物が、ビスマス、バナジウム、クロム、マンガン、モリブデン、アンチモン、タングステン、鉛、ハフニウム、及びウランからなる群から選択された元素の一種類以上のオキシアニオンを含有する、請求項９に記載の方法。
【請求項１１】
飲料水からオキシアニオンを除去する装置であって、
（ａ）  前記飲料水の源と連通した入り口；
（ｂ）  ２０ミリ当量／１００ｇより小さな陽イオン交換容量を有する粒状固体に支持されるか、又はそれらと混合された一種類以上の希土類化合物を含む収着剤の入った容器で、入り口部分及び出口部分を有し、前記入り口部分が前記入り口と連通している容器；及び
（ｃ）  前記容器の前記出口部分と連通した出口；
を含む、オキシアニオン除去装置。
【請求項１２】
オキシアニオンが、５、１３、１４、２２〜２５、３１、３２、４０〜４２、４４、４５、４９〜５２、７２〜７５、７７、７８、８２、８３、及び９２からなる群から選択された原子番号を有する元素を有し、前記希土類化合物中の希土類が、セリウム、ランタン、プラセオジム、ネオジム、サマリウム、ユウロピウム、ガドリニウム、テルビウム、ジスプロシウム、ホルミウム、エルビウム、ツリウム、イッテルビウム、ルテチウム、イットリウム、及びスカンジウム、並びにそれらの混合物からなる群から選択され、そして、前記希土類化合物が、水不溶性の希土類酸化物、水和希土類酸化物、希土類炭酸塩、希土類燐酸塩、希土類塩化物、希土類硝酸塩、希土類アンモニウム硝酸塩、希土類硫酸塩、又は希土類フッ化物である、請求項１１に記載の装置。
【請求項１３】
希土類化合物；及び
オキシアニオンであって、５、１３、１４、２２〜２５、３１、３２、４０〜４２、４４、４５、４９〜５２、７２〜７５、７７、７８、８２、８３、及び９２からなる群から選択された原子番号を有する元素を有するオキシアニオン
を含む不溶性の組成物。
【請求項１４】
前記希土類化合物中の希土類が、セリウム、ランタン、プラセオジム、ネオジム、サマリウム、ユウロピウム、ガドリニウム、テルビウム、ジスプロシウム、ホルミウム、エルビウム、ツリウム、イッテルビウム、ルテチウム、イットリウム、及びスカンジウム、並びにそれらの混合物からなる群から選択され、そして、前記希土類化合物が、水不溶性の希土類酸化物、水和希土類酸化物、希土類炭酸塩、希土類燐酸塩、希土類塩化物、希土類硝酸塩、希土類アンモニウム硝酸塩、希土類硫酸塩、又は希土類フッ化物である、請求項１３に記載の組成物。
【請求項１５】
前記希土類化合物が、粒状固体基体に支持されており、この固体基体が、２０ミリ当量／１００ｇ未満の希土類化合物に対する陽イオン交換容量、８０〜８００ｍ２／ｇの比表面積、及び約２〜約１，２００ミクロンの粒径を有する、請求項１３に記載の組成物。
【請求項１６】
前記希土類化合物が、粘土基体に支持されており、この粘土基体が、２０ミリ当量／１００ｇ未満の希土類化合物に対する陽イオン交換容量を有する、請求項１３に記載の組成物。
【手続補正２】
【補正対象書類名】明細書
【補正対象項目名】００１３
【補正方法】変更
【補正の内容】
【００１３】
固体収着剤は、本質的に、希土類化合物又はそのような化合物の混合物からなっていてもよく、或はそれは、粒状固体と混合されているか、又は粒状固体基体に支持された希土類化合物（一種又は複数種）を含んでいてもよい。前に言及したように、もし希土類化合物（一種又は複数種）が、粒状固体と混合されているか、又はその上に支持体されているならば、それらの固体は、希土類化合物（一種又は複数種）に対し、２０ミリ当量／１００ｇ未満の陽イオン交換容量を持つであろう。粒状固体は水不溶性でもあろうが、約５〜１，０００ｍ２／ｇ、通常約８０〜８００ｍ２／ｇの比表面積、及び約２〜約１，２００μ、通常約２０〜約１，０００μの粒径を有する。そのような固体の例には、アルミナ、シリカ、及びチタニアのような金属酸化物；窒化チタン、窒化珪素、及び炭化珪素のような耐火性非酸化物；珪藻土；ムライト；巨大網状組織ビーズのような多孔質重合体材料；多孔質炭素；及び繊維状材料；が含まれる。希土類化合物（一種又は複数種）は、アルミナ又は珪藻土と混合されているか、又はその上に支持されているのが通常好ましい。